(57)【要約】【課題】  デバイスの劣化等の要因で起こる補正データの異常を検出し、補正値又は補正値算出パラメータを変更又は修正して、画像読み取り装置のロバスト性能向上とメンテナンスフリーを提供する。【解決手段】  ４チャンネルのＣＣＤイメージセンサ３０１と、このＣＣＤイメージセンサ３０１の各出力部からの出力毎にデジタルし、前半部と後半部の出力方向毎に合成するとともに、前半部又は後半部の出力方向毎にリニアリティの補正を行うリニアリティ部３０５と、リニアリティの補正を行うための補正値又は補正値算出パラメータを記憶する記憶装置とを有する画像読み取り装置において、異常検知補正量算出部３０９とＣＰＵ３１１により、前半部と後半部の補正後のデータを比較照合し、比較照合した結果が設定された規格値から外れていた場合に異常として検出する。【選択図】図３
2007081989.tif 000002
【特許請求の範囲】
【請求項１】
フォトダイオードに蓄積された電荷を転送するシフトレジスタが中央部から前半部と後半部に分割されて出力されるＣＣＤイメージセンサを備えた画像読み取り装置において、
前記前半部と前記後半部の補正後のデータを比較照合し、比較照合した結果が予め設定された規格値から外れていた場合に異常として検出する異常検出手段を備えていることを特徴とする画像読み取り装置。
【請求項２】
前記ＣＣＤイメージセンサからの出力を前記前半部と前記後半部の出力を合成する合成手段と、
前記前半部又は前記後半部の出力方向毎にリニアリティの補正を行う補正手段と、
前記補正手段によりリニアリティの補正を行うための補正値又は補正値算出パラメータを記憶する記憶手段と、
を備えていることを特徴とする請求項１記載の画像読み取り装置。
【請求項３】
基準となる濃度を表す基準濃度部材を備え、前記比較照合するデータは所定の期間毎又は要求があった場合に前記基準部材を読み取ることにより取得することを特徴とする請求項１又は２記載の画像読み取り装置。
【請求項４】
前記異常検出手段により補正後のデータの異常を検出した場合に、補正値又は補正値算出パラメータの記憶内容を修正する修正手段を備えていることを特徴とする請求項１ないし３のいずれか１項に記載の画像読み取り装置。
【請求項５】
前記修正手段は、前記補正値又は補正値算出パラメータを修正する場合、工場出荷時の補正値又は補正値算出パラメータの値は保持したままにし、補正値又は補正値算出パラメータに対する修正量を算出することを特徴とする請求項４記載の画像読み取り装置。
【請求項６】
前記算出された修正量は、前記補正値又は補正値算出パラメータと演算され、新たな補正値又は補正値算出パラメータとすることを特徴とする請求項５記載の画像読み取り装置。
【請求項７】
前記新たな補正値又は補正値算出パラメータは、前記記憶手段に上書きされ、格納されることを特徴とする請求項６記載の画像読み取り装置。
【請求項８】
前記ＣＣＤイメージセンサが４チャンネルの出力端を有することを特徴とする請求項１ないし７のいずれか１項に記載の画像読み取り装置。
【請求項９】
請求項１ないし８のいずれか１項に記載の画像読み取り装置を備えていることを特徴とする画像形成装置。
【発明の詳細な説明】
【技術分野】
【０００１】
本発明は、１ラインにつき複数の出力チャンネルを持つＣＣＤラインセンサを用いて原稿画像の読み取りを行う画像読み取り装置、及びこの画像読み取り装置を備えた画像形成装置に関する。
【背景技術】
【０００２】
デジタル複写機、スキャナ、ファクシミリ等の画像形成装置においては、原稿画像を光学的に読み取る画像読み取り装置が設けられている。このような画像読み取り装置には、複数のシフトレジスタを有するＣＣＤラインセンサが用いられている。このＣＣＤラインセンサでは、奇数／偶数画素番目で出力を分ける２チャンネル出力ラインセンサが用いられていたが、近来の高速化の要求により、１ラインを中央から前半部と後半部に分割し、さらに前半部及び後半部毎に偶数画素と奇数画素を分割して出力する４チャンネル出力のＣＣＤラインセンサが提案されている。
【０００３】
この４チャンネルＣＣＤは、前半部と後半部のデバイスの違いによってＣＣＤ特性に差が生じてしまう。特にリニアリティの差によって前半部と後半部で濃度差が発生してしまう問題がある。この問題の対策として、例えば特許文献１には、１ラインの前半部又は後半部のどちらかの読み取りデータを基準として、もう一方の読み取りデータに対して補正をかける方法が提案されている。また、特許文献２には、予め装置内部に基準となる補正データを持ち、前半部と後半部に対して補正を行う方法が提案されている。
【特許文献１】特開２０００−１８８６８６号公報
【特許文献２】特開２００２−２１８１８６号公報
【発明の開示】
【発明が解決しようとする課題】
【０００４】
上述した従来技術の場合、前半部と後半部のリニアリティの補正を行うための補正値又は補正値算出パラメータは、画像読み取り装置毎に固有の値を持ち、一度調整された補正値又は補正値算出パラメータは、画像読み取り装置回路内部に記憶されるとその後書き換えを行わない構成になっている。しかしながら、デバイスの経年劣化や環境変化その他の要因により、補正値又は補正値算出パラメータが実際のＣＣＤ特性と合わなくなると、正しい補正結果が得られなくなる。
【０００５】
本発明はこのような従来技術の実情に鑑みてなされたもので、その目的は、工場出荷後に何らかの原因によって期待する補正を行うことができなくなった場合に、容易に異常を検出することができるようにすることにある。
【課題を解決するための手段】
【０００６】
前記目的を達成するため、第１の手段は、フォトダイオードに蓄積された電荷を転送するシフトレジスタが中央部から前半部と後半部に分割されて出力されるＣＣＤイメージセンサを備えた画像読み取り装置において、前記前半部と前記後半部の補正後のデータを比較照合し、比較照合した結果が予め設定された規格値から外れていた場合に異常として検出する異常検出手段を備えていることを特徴とする。
【０００７】
第２の手段は、第１の手段において、前記ＣＣＤイメージセンサからの出力を前記前半部と前記後半部の出力を合成する合成手段と、前記前半部又は前記後半部の出力方向毎にリニアリティの補正を行う補正手段と、前記補正手段によりリニアリティの補正を行うための補正値又は補正値算出パラメータを記憶する記憶手段とを備えていることを特徴とする。
【０００８】
第３の手段は、第１又は第２の手段において、基準となる濃度を表す基準濃度部材を備え、前記比較照合するデータは所定の期間毎又は要求があった場合に前記基準部材を読み取ることにより取得することを特徴とする。
【０００９】
第４の手段は、第１ないし第３のいずれかの手段において、前記異常検出手段により補正後のデータの異常を検出した場合に、補正値又は補正値算出パラメータの記憶内容を修正する修正手段を備えていることを特徴とする。
【００１０】
第５の手段は、第４の手段において、前記修正手段は、前記補正値又は補正値算出パラメータを修正する場合、工場出荷時の補正値又は補正値算出パラメータの値は保持したままにし、補正値又は補正値算出パラメータに対する修正量を算出することを特徴とする。
【００１１】
第６の手段は、第５の手段において、前記算出された修正量は、前記補正値又は補正値算出パラメータと演算され、新たな補正値又は補正値算出パラメータとすることを特徴とする。
【００１２】
第７の手段は、第６の手段において、前記新たな補正値又は補正値算出パラメータは、前記記憶手段に上書きされ、格納されることを特徴とする。
【００１３】
第８の手段は、第１ないし第７のいずれかの手段において、前記ＣＣＤイメージセンサが４チャンネルの出力端を有することを特徴とする。
【００１４】
第９の手段は、第１ないし第８のいずれかの画像読み取り装置を画像形成装置が備えていることを特徴とする。
【００１５】
なお、後述の実施の形態において、フォトダイオードは符号１００に、シフトレジスタは符号１０３〜１０６に、ＣＣＤイメージセンサは符号３０１に、異常検出手段は異常検知修正量算出部３０９及びＣＰＵ３１１に、合成手段は前半部データ合成部３０３ａ及び後半部データ合成部３０３ｂに、補正手段はリニアリティ補正部３０５に、記憶手段は記憶装置３０６に、基準濃度部材は基準白板３に、修正手段は異常検知修正量算出部３０９、ＣＰＵ３１１及び演算器３１２にそれぞれ対応する。
【発明の効果】
【００１６】
本発明によれば、ＣＣＤイメージセンサの前半部と後半部の補正後のデータを比較照合し、比較照合した結果が予め設定された規格値から外れていた場合に異常として検出するので、工場出荷後に何らかの原因によって期待する補正を行うことができなくなった場合に、容易に異常を検出することができる。
【発明を実施するための最良の形態】
【００１７】
以下、本発明の実施形態について図面を参照して説明する。
【００１８】
図１は本発明の一実施形態に係る画像読み取り装置の概略構成を示す図である。この画像読み取り装置は、原稿を載置するコンタクトガラス１、白レベル調整やシェーディングデータ生成用の基準白板３、原稿５を照射する光源７及び第１ミラー８が搭載される第１キャリッジ９、第２ミラー１０及び第３ミラー１１が搭載される第２キャリッジ１２、ＣＣＤイメージセンサ１４ａ上に縮小結像させるレンズユニット１３、ＣＣＤイメージセンサを搭載した画像読み取り回路基板１４、また図示してはいないが、第１、第２キャリッジ９，１２を駆動するスキャナ駆動モータ、ホームポジションセンサ、原稿検知センサ等から構成される。
【００１９】
前記構成において、コンタクトガラス１上に原稿５が載置された場合に、光源７を点灯し、第１キャリッジ９及び第２キャリッジ１２をスキャナモータにより右方向に移動走査して原稿５を読み取る所謂フラットベッド方式の読み取りと、第１キャリッジ９及び第２キャリッジ１２は停止した状態のまま、光源７を点灯し、シートスルー読み取り用コンタクトガラス２を介して原稿搬送装置の搬送ローラ４によって搬送される原稿６を照射して読み取る所謂シートスルー方式の読み取りが選択可能である。
【００２０】
フラットベッド方式で原稿５を読み取る場合には、原稿５の読み取りに先立って基準白板３のデータを取得してシェーディング補正データを生成し、その補正データをメモリに記憶しておき、前記シェーディング補正用データに基づいて原稿５の画像データ正規化することによって画像読み取り装置における光量分布ムラ、ＣＣＤの感度ムラを補正している。これにより、原稿の画像情報の高品質な読み取りが可能となる。一方、シートスルー方式で読み取る場合には、原稿６の読み取りに先立ってまず、第１キャリッジ９を基準白板３の下に移動させてシェーディング補正データを生成し、シートスルー読み取り位置に復帰させた後、原稿を搬送させ、原稿読み取り動作を開始する。
【００２１】
図２は画像読み取り回路基板１４上のＣＣＤイメージセンサ３０１（図３参照）の構成を説明するための図である。ここで使用されているＣＣＤイメージセンサ３０１は４チャンネル出力ＣＣＤラインセンサであり、画素配列された複数のフォトダイオード１００、第１及び第２の２つのシフトゲート１０１，１０２（図ではシフトゲート１，２で示す）、第１ないし第４の４つのＣＣＤアナログレジスタ１０３〜１０６（図ではＣＣＤアナログレジスタ１，２，３，４で示す）、奇数成分ＯＳ１，ＯＳ３を出力する２つの出力バッファ１０７，１０８、偶数成分ＯＳ２，ＯＳ４を出力する２つの出力バッファ１０９，１１０とから構成されている。なお、ＣＣＤの構造上、画素配列の端からの出力順となるため、前半部と後半部で出力順が異なり、後に時系列の変換処理が必要となる。
【００２２】
上述したように４チャンネル出力のＣＣＤイメージセンサ３０１は、信号出力が偶数成分と奇数成分をさらにそれぞれ左右に分割して４系統の出力構成とし、４つのＣＣＤアナログレジスタ１０３〜１０６を備えている。したがって、第１のＣＣＤアナログレジスタ１０３によって奇数成分の左端のフォトダイオードによる信号より順番に転送出力され、第２のＣＣＤアナログレジスタ１０４によって偶数成分の左端のフォトダイオードによる信号より順番に転送出力され、第３のＣＣＤアナログレジスタ１０５によって奇数成分の右端のフォトダイオードによる信号より順番に転送出力され、第４のＣＣＤアナログレジスタ１０６によって偶数成分の右端のフォトダイオードによる信号より順番に転送出力される。なお、ＣＣＤイメージセンサ３０１内部で前半部と後半部に、ＲＳ端子、ＣＰ端子、φ２Ｂ、φ１、φ２端子が設けられている。一般的にこれらの駆動には、専用のタイミング発生回路により信号が生成されて、各信号に対する出力は１本で、その信号を２つのドライバ（バッファ）で前半部、後半部の端子に供給させている。
【００２３】
図３は画像読み取り回路基板１４、補正部及び画像処理部の構成、並びにデータの流れを示す図である。画像読み取り回路基板１４は、図２に示した４チャンネル出力のＣＣＤイメージセンサ３０１、このＣＣＤイメージセンサ３０１の前半部の奇数画素の信号を処理しＡ／Ｄ変換する信号処理Ａ／Ｄ変換部３０２ａ、ＣＣＤイメージセンサ３０１の前半部の偶数画素の信号を処理しＡ／Ｄ変換する信号処理Ａ／Ｄ変換部３０２ｂと、これら２つの信号処理Ａ／Ｄ変換部３０２ａ，３０２ｂからの信号を処理して前半部のデータ合成を行う前半部データ合成部３０３ａ、ＣＣＤイメージセンサ３０１の後半部の奇数画素の信号を処理しＡ／Ｄ変換する信号処理Ａ／Ｄ変換部３０２ｃ、ＣＣＤイメージセンサ３０１の後半部の偶数画素の信号を処理しＡ／Ｄ変換する信号処理Ａ／Ｄ変換部３０２ｄと、これら２つの信号処理Ａ／Ｄ変換部３０２ｃ，３０２ｄからの信号を処理して前半部のデータ合成を行う前半部データ合成部３０３ｂから構成されている。
【００２４】
このような構成では、ＣＣＤラインセンサ３０１から１ライン毎に前半部の偶数画素と奇数画素、後半部の偶数画素と奇数画素の計４チャンネルからなるデータを出力する。図３では１ライン分のデータの流れを示しているが、カラーＣＣＤの場合は一般的にＲ（赤）、Ｇ（緑）、Ｂ（青）の３ラインを有し、３ライン×４チャンネルの１２チャンネルを持つことになる。ＣＣＤラインセンサ３０１から分割された各々のアナログデータは、それぞれの信号処理Ａ／Ｄ変換部３０２ａ〜３０２ｄで信号増幅、及び偶数画素レベルと奇数画素レベルのゲイン調整などの信号処理を行いＡ／Ｄ変換される。Ａ／Ｄ変換された信号は、データ合成処理部３０３ａ〜３０３ｂで前半部又は後半部の偶数画素と奇数画素のデータが合成される。
【００２５】
補正部はシェーディング補正部３０４、リニアリティ補正部３０５、記憶装置３０６、異常検知修正量算出部３０９、ＣＰＵ３１１、演算器３１２等から構成されている。このような各要素からなる補正部では、まず、シェーディング補正部３０４において偶数画素と奇数画素が合成されたデータのシェーディング補正が行われる。この場合、シェーディング補正は基準白板データの画素とデータ画素が一対一に対応するため、必ずしも前半部データと後半部データを分割してシェーディングする必要はない。例えば偶数画素と奇数画素に分割したデータフォーマットでシェーディング補正しても結果は同じである。
【００２６】
リニアリティ補正部３０５では、図１の画像読み取り装置の電源オン時に、記憶装置３０６内の補正値又は補正値算出パラメータ３０７からγテーブルを設定し、演算器３１２でγテーブルを参照して補正処理が行われる。ここで記憶装置３０６は、不揮発性のリードライト可能なメモリであり、例えばＮＶＲＡＭやＥＥＰＲＯＭが使用される。前半部データと後半部データのリニアリティの差の補正については、補正値又は補正値算出パラメータ３０７の種類によっていくつかの方法が考えられる。例として、前半部（又は後半部）のリニアリティ補正に対する後半部（又は前半部）の補正値又は補正値算出パラメータを持ち、後半部（又は前半部）を前半部のリニアリティ補正に合わせる方法や、ある理想的なリニアリティに対する前半部と後半部それぞれの補正値又は補正値算出パラメータを持ち、前半部と後半部それぞれ理想のリニアリティになるように合わせる方法である。リニアリティ補正後のデータは、画像処理部３０８へ直接あるいは適当なデータフォーマットに変換されて受け渡される。
【００２７】
図４はリニアリティ補正後のデータ異常を検出する手段を持たない場合の画像読み取り回路基板１４、補正部、及び画像処理部の構成とデータの流れを示す図であり、この場合はＣＣＤ特性の変化が生じた場合に、ねらい通りの補正が行われないまま画像処理部３０６へデータが渡されてしまう。そこで、本実施形態においては、図３に示すように、ＣＣＤ特性の変化が生じた場合の対策として、補正データの前半部と後半部を比較し異常検知する異常検知修正量算出部３０９と、補正値又は補正値算出パラメータに対する修正量を算出する演算器３１２を持ち、記憶装置３０６内に補正値又は補正値算出パラメータとは別途に修正量を記憶する修正量記憶部３１０を有している。
【００２８】
補正データの比較及び異常検出方法と修正量算出方法は、ＣＰＵ３１１を含めた構成として機能のすべて又は一部をソフトウェアによる制御で実現してもよいし、すべてハードウェアによる制御で行ってもよい。比較するデータとしては、読み取り装置内部に設置された濃度の基準となる部材を読み、部材としては基準白板３や少なくとも１つ以上の階調を有する濃度の異なるパッチがある。補正値又は補正値算出パラメータを工場調整時に設定するときは、本来ならば複数階調を有する原稿（例えばグレースケールチャート）を読み取る。そのため補正データの作成においては、比較データとして前記グレースケールと同様の原稿あるいは同様の複数階調を持つパッチを用いて比較データを読み取ることが望ましい。しかしながら、画像読み取り装置の構成上困難である場合には、１つ以上の階調を有する濃度の異なるパッチに限定して比較データを読み取って補正データを作成する。１つ以上の階調を有する濃度の異なるパッチに限定して比較データを読み取った場合、比較データのない濃度の修正値算出は、読み取ったパッチの濃度からの比率あるいはγ曲線の係数を想定して算出する。
【００２９】
補正データの比較は、装置が所定の期間毎に自動的に実行する場合と、ユーザ又はサービスマンがパネル操作によって任意に実行する場合がある。修正量３１０としては、補正後データの前半部と後半部の差を補正値又は補正値算出パラメータに加減算して補えるようなパラメータが好ましい。この比較工程で補正データの異常を検出した場合には、修正量３１０を算出し、算出した修正量３１０を記憶装置３０６に格納する。以前の修正量３１０が記憶装置３０６内にある場合には新たな算出した修正量３１０で上書きをする。また工場調整時の修正量はＮＵＬＬ値に設定しておくことが望ましい。補正値又は補正値算出パラメータ３０７の修正は、補正値又は補正値算出パラメータ３０７に対して修正量３１０を演算器３１２で加算又は減算し、新たな補正値あるいは補正値算出パラメータ３０７を求め、リニアリティ補正部３０５に入力する。このように補正値又は補正値算出パラメータ３０７の修正に際しては加減算が望ましい。演算はＣＰＵ３１１を含めた構成としてソフトウェアで実行してもよいし、ハードウェアで実施してもよい。
【００３０】
以上のように、図３の構成によって、異常検知修正量算出部３０９で比較した補正データに前半部と後半部で差が生じ、その差が所定の値（規格値）から外れていた場合には、この異常検知修正量算出部３０９で修正量を算出し、修正量３１０を記憶装置３０６に格納して、以後の読み取りのデータ補正には補正値又は補正値算出パラメータ３０７と修正量３１０を演算器３１２で演算した結果に基づいてγテーブルを設定し、リニアリティ補正部３０５でリニアリティ補正を実施する。
【００３１】
図５は補正値又は補正値算出パラメータの異常検出要求が所定期間毎あるいは任意に発生した場合の処理手順を示すフローチャートである。すなわち、この処理手順では、まず、基準濃度を読み取り（ステップＳ５０１）、シェーディング補正部３０４によってシェーディング補正を、リニアリティ補正部３０５でリニアリティ補正をそれぞれ実行し（ステップＳ５０２）、これら補正を行ったデータに異常があるか否かを異常検知修正量算出部３０９でチェックする（ステップＳ５０３）。異常がない場合はこの処理を終了する。一方、異常が検出された場合は、記憶装置３０６内の補正値又は補正値算出パラメータ３０７や修正量３１０により修正量を算出し（ステップＳ５０４）、修正量３１０の書き換え処理を行う（ステップＳ５０５）。次に、補正値又は補正値算出パラメータ３０７や修正量３１０により補正値の演算を行い（ステップＳ５０６）、最後にγテーブルの再設定を行う（ステップＳ５０７）。
【００３２】
図６は画像読み取り装置の電源オン時におけるγテーブル設定処理の処理手順を示すフローチャートである。最初に記憶装置３０６内の補正値又は補正値算出パラメータ３０７や修正量３１０により、補正値の演算を行い（ステップＳ６０１）、その演算結果を基にしてγテーブルを設定する（ステップＳ６０２）。
【００３３】
図７は画像読み取り装置を備えた画像形成装置としてのデジタル複写機の機械的構成の概略を示す図である。同図において、デジタル複写機はモノクロ画像形成用のもので本体４００と、画像形成装置本体４００の上部に設置された画像読み取り装置５００と、さらにその上に装着された自動原稿給送装置（以下、「Ａ／ＤＦ」と称す）５５０と、画像形成装置本体４００の同図において右側に配置された大容量給紙装置７００と、画像形成装置本体４００の同図において左側に配置された用紙後処理装置８００とから基本的に構成されている。なお、図１の画像読み取り装置と図７の画像読み取り装置５００とはコンタクトガラス１上にセットされた原稿給送装置（原稿圧板）が異なるだけで、画像を読み取る機構部分は同等である。
【００３４】
画像形成装置本体４００は画像書き込み部４１０と、作像部４２０と、定着部４３０と、両面搬送部４４０と、給紙部４５０と、垂直搬送部４６０と、手差し部４７０とからなる。
【００３５】
画像書き込み部４１０は画像読み取り装置５００で読み取った原稿の画像情報に基づいて発光源であるＬＤを変調し、ポリゴンミラー、ｆθレンズなどの走査光学系により感光体ドラム４２１にレーザ書き込みを行うものである。作像部４２０は感光体ドラム４２１と、この感光体ドラム４２１の外周に沿って設けられた現像ユニット４２２、転写ユニット４２３、クリーニングユニット４２４及び除電ユニットなどの公知の電子写真方式の作像要素とからなる。
【００３６】
定着部４３０は前記転写ユニット４２３で転写された画像を転写紙に定着する。両面搬送部４４０は定着部４２０の転写紙搬送方向下流側に設けられ、転写紙の搬送方向を用紙後処理装置８００側、あるいは両面搬送部４４０側に切り換える第１の切換爪４４１と、第１の切換爪４４１によって導かれた反転搬送路４４２と、反転搬送路４４２で反転した転写紙を再度転写ユニット４２３側に搬送する画像形成側搬送路４４３と、反転した転写紙を用紙後処理装置８００側に搬送する後処理側搬送路４４４とを含み、画像形成側搬送路４４３と後処理側搬送路４４４との分岐部には第２の切換爪４４５が配されている。
【００３７】
給紙部４５０は４段の給紙段からなり、それぞれピックアップローラ、給紙ローラによって選択された給紙段に収納された転写紙が引き出され、垂直搬送部４６０に導かれる。垂直搬送部４６０では、各給紙段から送り込まれた転写紙を転写ユニット４２３の用紙搬送方向上流側直前のレジストローラ４６１まで搬送し、レジストローラ４６１では、感光体ドラム４２１上の顕像の画像先端とタイミングを取って転写紙を転写ユニット４２３に送り込む。手差し部４７０は開閉自在な手差しトレイ４７１を備え、必要に応じて手差しトレイ４７１を開いて転写紙を手差しにより供給する。この場合もレジストローラ４６１で転写紙の搬送タイミングが取られ、搬送される。
【００３８】
大容量給紙装置７００は同一サイズの転写紙を大量にスタックして供給するもので、転写紙が消費されるにしたがって底板７０２が上昇し、常にピックアップローラ７０１から用紙のピックアップが可能に構成されている。ピックアップローラ７０１から給紙される転写紙は、垂直搬送部４６０からレジストローラ４６１のニップまで搬送される。
【００３９】
用紙後処理装置８００はパンチ、整合、ステイプル、仕分けなどの所定の処理を行うもので、この実施形態では、前記機能のためにパンチ８０１、ステイプルトレイ（整合）８０２、ステイプラ８０３、シフトトレイ８０４を備えている。すなわち、画像形成装置４００から用紙後処理装置８００に搬入された転写紙は、孔明けを行う場合にはパンチ８０１で１枚ずつ孔明けが行われ、その後、特に処理するものがなければ、プルーフトレイ８０５へ、ソート、スタック、仕分けを行う場合にはシフトトレイ８０４にそれぞれ排紙される。仕分けは、この実施形態は、シフトトレイ８０４が用紙搬送方向に直交する方向に所定量往復動することにより行われる。このほかに、用紙搬送路で用紙を用紙搬送方向と直交する方向に移動させて仕分けを行うこともできる。
【００４０】
整合する場合には、孔明けが行われた、あるいは孔明けが行われていない転写紙が下搬送路８０６に導かれ、ステイプルトレイ８０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ８０３によって綴じられ、放出ベルトによってシフトトレイ８０４に排紙される。また、この実施形態では、下搬送路８０６にはプレスタック搬送路８０７が設けられ、搬送時に複数枚の用紙をスタックし、後処理中の画像形成装置本体４００側の画像形成動作の中断を避けることができるようになっている。
【００４１】
画像読み取り装置５００は、Ａ／ＤＦ６００によってコンタクトガラス５１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部４１０によって記憶装置から読み出され、画像データに応じて変調し、光書き込みが行われる。
【００４２】
Ａ／ＤＦ５５０は両面読み取り機能を有するもので、画像読み取り装置５００のコンタクトガラス５１０設置面に開閉自在に取り付けられている。このＡ／ＤＦ５５０では、原稿載置台５５１に載置された原稿が原稿読み取り時に自動的にコンタクトガラス５１０上に送り出される。
【００４３】
この画像読み取り装置は、デジタル複写機、デジタル複合機、ＦＡＸ、スキャナなどに適用することが可能である。
【００４４】
以上のように本実施形態によれば、
１）工場出荷後にデバイスの経年劣化等の要因によって補正後のデータに前半部と後半部で差が生じた場合に、補正データの異常を検出することができる。  
２）補正データの異常を定期毎又は要求毎に、読み取り装置内部に設置された濃度の基準となる部材を読み取って検知するので、メンテナンス時期を迅速に通知することができ、メンテナンス業務の効率化を実現できる。  
３）異常な補正データを自動で修正するので、読み取り画像品質の信頼性を向上させることができる。  
４）部品交換やサービスマンによる作業を伴わないのでメンテナンスコストを軽減できる。５）補正値又は補正値算出パラメータの工場調整値を保持したまま修正を実施することができるので、何らかの理由で工場出荷時の補正値又は補正値算出パラメータに戻す必要があった場合にも速やかに対応することができる。  
６）修正がメンテナンス動作中の停電等の事故によって完了せずに終わった場合、ただちに復旧することが可能となり、記憶装置に修正量を格納できるので、再び補正データの異常を検出しない限り、修正量演算を実行せずに、一度算出した修正量を何度でも参照することが可能となる。  
７）本画像読み取り装置を、デジタル複写機、デジタル複合機、スキャナ、ＦＡＸ等の画像形成装置に用いることにより、読み取り画像データの異常発生を未然に防止し、画像読み取りのロバスト性能を向上させることができる。また、メンテナンス作業の効率化を図ることができる。
【図面の簡単な説明】
【００４５】
【図１】本発明の一実施形態に係る画像読み取り装置の概略構成を示す図である。
【図２】ＣＣＤイメージセンサの構成を説明するための図である。
【図３】画像読み取り回路基板１４及び補正部と画像処理部の構成とデータの流れを示す図である。
【図４】リニアリティ補正後のデータ異常を検出する手段を持たない場合の画像読み取り回路基板及び補正部と画像処理部の構成とデータの流れを示す図である。
【図５】補正値又は補正値算出パラメータの異常検出要求が発生した場合の処理を説明するためのフローチャートである。
【図６】画像読み取り装置の電源オン時におけるγテーブル設定処理を説明するためのフローチャートである。
【図７】図１の画像読み取り装置を備えた画像形成装置の一例の機械的構成を示す図である。
【符号の説明】
【００４６】
３  基準白板
７  光源
９  第１キャリッジ
１２  第２キャリッジ
１４  画像読み取り回路基板、
３０１  ＣＣＤイメージセンサ
３０２ａ〜３０２ｄ  信号処理Ａ／Ｄ変換部
３０３ａ  前半部データ合成部
３０３ｂ  後半部データ合成部
３０５  リニアリティ補正部
３０６  記憶装置
３０９  異常検知修正量算出部
３１１  ＣＰＵ
３１２  演算器
４００  画像形成装置本体
５００  画像読み取り装置
【図１】
2007081989.tif 000003
【図２】
2007081989.tif 000004
【図３】
2007081989.tif 000005
【図４】
2007081989.tif 000006
【図５】
2007081989.tif 000007
【図６】
2007081989.tif 000008
【図７】
2007081989.tif 000009